(57)【要約】【課題】空気の吹き出し口に設けられる風向調整部材の設置に起因する送風機のモータの回転数の増加を抑制する。【解決手段】本発明の送風機２は、ケーシング３の内部から排出される空気の風向を調整するための風向調整部材８が、ケーシング３に形成された空気の吹き出し口に取り付け可能な空気調和装置の室外機１００に用いられる。とくに、モータ２１ｃによって駆動されるシャフト２１ｂおよびシャフト２１ｂに取り付けられた羽根２１ａを含むファン２１と、ファン２１をケーシング３の内部の所定の位置に支持するための支持部２３と、支持部２３にファン２１を取り付けるとともに、シャフト２１ｂの向きを調整するための角度調整機構２２とを有する。【選択図】図７
2009162439.tif 000002
【特許請求の範囲】
【請求項１】
ケーシングの内部から排出される空気の風向を調整するための風向調整部材が、前記ケーシングに形成された空気の吹き出し口に取り付け可能な空気調和装置の室外機に用いられる送風機であって、
モータによって駆動されるシャフトおよび該シャフトに取り付けられた羽根を含むファンと、
該ファンを前記ケーシングの内部の所定の位置に支持するための支持部と、
該支持部に前記ファンを取り付けるとともに、前記シャフトの向きを調整するための角度調整機構とを有する送風機。
【請求項２】
前記角度調整機構は、
前記支持部に支持され、前記シャフトの向きに直交するように設けられる回動軸部と、
前記ファンが固定され、前記回動軸部を中心軸として回動可能に設けられる可動部と、
該可動部を前記回動軸部回りの所定の向きで保持する姿勢保持手段とを含む請求項１記載の送風機。
【請求項３】
前記回動軸部は、その軸方向が水平になるように設けられている請求項２記載の送風機。
【請求項４】
前記姿勢保持手段が、前記支持部に形成された略円弧状に連なる孔を貫通する軸を含む請求項１〜３のいずれかに記載の送風機。
【請求項５】
前記支持部に形成された略円弧状に連なる孔が、単一の長孔である請求項４記載の送風機。
【請求項６】
前記支持部に形成された略円弧状に連なる孔が、複数の孔である請求項４記載の送風機。
【請求項７】
前記支持部に、前記シャフトの傾斜角度を指示するための目盛りが表示されている請求項１〜６のいずれかに記載の送風機。
【請求項８】
請求項１〜７のいずれかに記載の送風機を用いた空気調和装置の室外機。
【発明の詳細な説明】
【技術分野】
【０００１】
本発明は、送風機および該送風機を用いた空気調和装置の室外機に関する。さらに詳しくは、空気調和装置の室外機の内部から外部へ空気を排出するための送風機および該送風機を用いた空気調和装置の室外機に関する。
【背景技術】
【０００２】
近年、室内の温度や風量を調整し、室内を快適な状態に保つための空気調和装置が多用されている。空気調和装置は、主に、室内に設置される室内機と、室内機に連結され、屋外に設置される室外機とから構成されている。とくに、室外機では、室外機の内部へ外気を吸い込み、室外機の内部で熱交換を行った上で、熱交換された空気を室外機の外部へ排出することが行われている。このような、室外機への空気の吸い込みおよび排出は、室外機のケーシングの内部に設けられた送風機が、空気の流れを作り出すことにより実現されている。
【０００３】
ここで、室外機の内部から排出される空気は、室外機の内部で熱交換が行われた後の空気であるため、外気との温度差が生じており、室外機から排出された空気が、屋外を歩く通行人などに当たると、通行人が不快に感じてしまうという問題がある。そこで、室外機から排出される空気が、通行人などに直接当たらないようにするために、室外機のケーシングに形成された空気の吹き出し口を覆うように風向調整板という部材を取り付けることが行われている（特許文献１参照）。風向調整板を室外機に設けることで、排気の向きが所定の方向に整えられる。
【特許文献１】特開平７−２２５０３５号公報
【発明の開示】
【発明が解決しようとする課題】
【０００４】
しかしながら、上記従来の技術では、風向調整板が室外機の吹き出し口に設けられると、空気の流れの抵抗となることから、ファン下流側の静圧が高くなり、その結果、送風機のファンにかかる負荷が増大してしまう。そして、風向調整板を取り付ける前と同等の風量を確保するようにファンが自動制御されると、その回転数は大幅に増加してしまう、という問題がある。
【０００５】
本発明は、上記従来の問題に鑑みてなされてものであり、空気の吹き出し口に設けられる風向調整部材の設置に起因する送風機のモータの回転数の増加を抑制することができる送風機および該送風機を用いた空気調和装置の室外機を提供することを目的としている。
【課題を解決するための手段】
【０００６】
本発明の送風機は、ケーシングの内部から排出される空気の風向を調整するための風向調整部材が、前記ケーシングに形成された空気の吹き出し口に取り付け可能な空気調和装置の室外機に用いられる送風機であって、モータによって駆動されるシャフトおよび該シャフトに取り付けられた羽根を含むファンと、該ファンを前記ケーシングの内部の所定の位置に支持するための支持部と、該支持部に前記ファンを取り付けるとともに、前記シャフトの向きを調整するための角度調整機構とを有することを特徴とする。
【０００７】
この発明では、ファンのシャフトの向きを調整することが可能な角度調整機構を介して、ファンが支持部に取り付けられている。このため、予め、風向調整部材によって調整される風向と、シャフトの向きとを近づけておくことが可能となる。風向調整部材が取り付けられる場合には、角度調整機構を用いて、シャフトの向きを調整することにより、送風機によって作り出される空気の流れの方向が調整される。これにより、ケーシングの内部から排出される空気をスムーズに流すことが可能となり、ファンにかかる負荷を低減させることができる。したがって、空気の吹き出し口に設けられる風向調整部材の設置に起因する送風機のモータの回転数の増加を抑制することが可能となる。
【０００８】
また、前記角度調整機構は、前記支持部に支持され、前記シャフトの向きに直交するように設けられる回動軸部と、前記ファンが固定され、前記回動軸部を中心軸として回動可能に設けられる可動部と、該可動部を前記回動軸部回りの所定の向きで保持する姿勢保持手段とを含むことが好ましい。
【０００９】
この発明によれば、可動部を、回動軸部を中心として回動させ、姿勢保持手段によって支持部に対して傾いた姿勢で保持させるので、姿勢保持手段のみを取り外せば、支持部に支持されたファン全体を支持部から完全に取り外さなくても、可動部に固定されたファンを簡単に傾けることができる。
【００１０】
また、前記回動軸部は、その軸方向が水平になるように設けられていることが好ましい。
【００１１】
この発明によれば、回動軸部は、その軸方向が水平になるように設けられているので、シャフトの向きを上下方向に調整することができる。
【００１２】
また、前記姿勢保持手段が、前記支持部に形成された略円弧状に連なる孔を貫通する軸を含むことが好ましい。
【００１３】
この発明によれば、姿勢保持手段の軸を支持部に形成された略円弧状に連なる孔に貫通させるだけで、簡単に可動部の姿勢を保持することができる。
【００１４】
また、前記支持部に形成された略円弧状に連なる孔が、単一の長孔であることが好ましい。
【００１５】
この発明によれば、支持部に形成された略円弧状に連なる孔が、単一の長孔であるので、長孔の長手方向の所望の位置に姿勢保持手段の軸を留めることができ、ファンのシャフトの向きを微調整することができる。
【００１６】
また、前記支持部に形成された略円弧状に連なる孔が、複数の孔であることが好ましい。
【００１７】
この発明によれば、支持部に形成された略円弧状に連なる孔が、複数の孔であるので、姿勢保持手段の軸を個々の孔に貫通させてファンの姿勢を保持するので、ファンのシャフトの軸方向が所定の角度だけ傾いた状態を確実に保持することができる。
【００１８】
また、前記支持部に、前記シャフトの傾斜角度を指示するための目盛りが表示されていることが好ましい。
【００１９】
この発明によれば、支持部に、シャフトの傾斜角度を指示するための目盛りが表示されているので、シャフトの向きを調整する作業が容易になる。
【００２０】
本発明の空気調和装置の室外機は、上記の送風機を用いていることを特徴とする。
【発明の効果】
【００２１】
本発明によれば、空気の吹き出し口に設けられる風向調整部材の設置に起因する送風機のモータの回転数の増加を抑制することができる。
【発明を実施するための最良の形態】
【００２２】
本発明の送風機は、モータによって駆動されるシャフトおよびそのシャフトに取り付けられた羽根を含むファンと、そのファンをケーシングの内部の所定の位置に支持するための支持部と、その支持部にファンを取り付けるとともに、シャフトの向きを調整するための角度調整機構とを有する。主に、ケーシングの内部から排出される空気の風向を調整するための風向調整部材が、ケーシングに形成された空気の吹き出し口を覆うように取り付け可能な空気調和装置の室外機に用いられる。
【００２３】
以下で、本発明の送風機および該送風機を用いた空気調和装置の室外機について、図面を用いて詳細に説明する。
【００２４】
図１は、空気調和装置の室外機１００を説明するための正面図である。図２および図３は、空気調和装置の室外機１００内に収容された送風機２を説明するための図であり、図２は、図１のＩＩ−ＩＩ位置の断面を概略的に説明するための図である。図３は、図１のＩ-Ｉ位置の断面を概略的に説明するための図である。
【００２５】
実施の形態１の空気調和装置の室外機１００は、図１〜図３に示されるように、熱交換器４、減圧機構（図示しない）、圧縮機（図示しない）および制御部（図示しない）などを内部に収容するためのケーシング３と、ケーシング３の内部に外気を吸い込み、ケーシング３の内部から外部へ空気を排出するように、空気の流れを作り出す送風機２とを備えている。
【００２６】
ケーシング３は、金属製の筐体である。図１および図２に示されるように、ケーシング３には、その側部に、外気をケーシング３の内部に吸い込むための吸い込み口３ａと、ケーシング３の内部の空気を外部へ排出するための吹き出し口３ｂとが互いに対向するように形成されている。ケーシング３には、送風機２によって作り出された風を、効率よくケーシング３の外部に導くためのベルマウス６と、ケーシング３の外部と内部を隔てつつ、ケーシング３の内部から外部へ空気を通過させるための柵状の吹き出しグリル７とが設けられている。また、ケーシング３は、吹き出し口３ｂから排出される空気の流れの向きを調整するための風向調整部材８が取り付け可能に備えられている。なお、図２は、風向調整部材８が取り付けられていない状態の断面図である。
【００２７】
送風機２は、図２および図３に示されるように、ケーシング３内の所定の位置に設置されている。具体的には、送風機２は、互いに向かい合うようにケーシング３の側部に形成された吸い込み口３ａと吹き出し口３ｂの間に設置された熱交換器４を支えとして設置されている。
【００２８】
送風機２は、送風機能を担うファン２１と、ファン２１をケーシング３の内部の所定の位置に支持するための支持部２３と、支持部２３にファン２１を取り付けるとともに、ファン２１の向きを調整するための角度調整機構２２とから構成されている。図３に示されるように、角度調整機構２２は、その一部で、支持部２３を部分的に挟み込むように設けられている。
【００２９】
ファン２１は、モータ２１ｃ、モータ２１ｃによって駆動されるシャフト２１ｂおよびシャフト２１ｂに取り付けられた羽根２１ａを含む。ファン２１は、シャフト２１ｂの一方の端部に設けられた羽根２１ａを吹き出し口３ｂの側へ向けて、シャフト２１ｂの他方の端部に設けられたモータ２１ｃを吸い込み口３ａの側へ向けて、ケーシング３内の所定の高さで支持部２３によって支持されている。
【００３０】
支持部２３は、ケーシング３の底部に対して直立するように固定され、ファン２１をケーシング３内の高さ方向の所定の位置で支持するための２本の支柱２３ａと、支柱２３ａに固定される固定部２３ｂとを含む。
【００３１】
２本の支柱２３ａは、所定の間隔を空けた状態で設置され、その上部が鉤状を呈し、この鉤状の上部を熱交換器４の上部に引っ掛けることにより、直立した姿勢を維持している。
【００３２】
図４は、支持部２３の固定部２３ｂを説明するための図である。固定部２３ｂは、図４に示されるように、略コ字状を呈した板部材であり、固定部２３ｂ全体を支柱２３ａに固設するための固設板２３ｂ１と、角度調整機構２２の姿勢を定めるための側板２３ｂ２とを含む。固設板２３ｂ１には、固定部２３ｂを支柱２３ａに固定するためのねじを貫通させるねじ孔が４箇所に形成されている。側板２３ｂ２は、固設板２３ｂ１から直立するように固設板２３ｂ１の両端に設けられ、互いに対向するように１対設けられている。固定部２３ｂは、支柱２３ａの高さ方向の略中間位置に、側板２３ｂ２の突出方向を吹き出し口３ｂの側へ向けて２本の支柱２３ａに跨るように固定されている（図２および図３参照）。側板２３ｂ２には、略円弧状に連なる複数の角度調整孔（略円弧状に連なる孔）Ａが形成されている。この角度調整孔Ａは、後述の角度調整機構２２の姿勢保持手段２２ｃを貫通させるための孔である。
【００３３】
また、側板２３ｂ２の内側面の各角度調整孔Ａの周縁部には、各角度調整孔Ａを形成する際に、バーリング加工が施されることによって、突出部が形成されている。この突出部によって姿勢保持手段２２ｃのボルトが締め付けられる。したがって、側板２３ｂ２の内側面に、姿勢保持手段２２ｃのボルトを締め付けるためのナットを設ける必要がない。また、固定部２３ｂの側板２３ｂ２には、シャフト２１ｂの傾斜角度を指示するための目盛りＡ１が、その内側面に表示されている。具体的には、図４に示されるように、目盛りＡ１は、側板２３ｂ２の周縁に複数の線が等間隔を空けて印刷されたものである。目盛りＡ１としては、各線の先端部にシャフト２１ｂの傾斜角度を示す数字を標記したものであってもよい。あるいは、目盛りＡ１の各線に対して角度に応じた異なる色を付して、作業マニュアルなどで各色に対応するシャフト２１ｂの傾斜角度を説明してもよい。支持部２３の固定部２３ｂに、目盛りＡ１が表示されているので、作業者はシャフト２１ｂの向きを調整する作業を正確かつ容易に行うことができる。
【００３４】
角度調整機構２２は、支持部２３に支持され、シャフト２１ｂの向きに直交するように設けられる回動軸部２２ａと、ファン２１が固定され、回動軸部２２ａを中心軸として回動可能に設けられる可動部２２ｂと、可動部２２ｂを回動軸部２２ａ回りの所定の向きで保持する姿勢保持手段２２ｃとを含む。
【００３５】
回動軸部２２ａは、その軸方向が水平になるように支持部２３に支持される。具体的には、回動軸部２２ａは、ボルト２２ａ１とナット２２ａ２とから構成されている。
【００３６】
図５は、可動部２２ｂを説明するための図である。可動部２２ｂは、図５に示されるように、略コ字状を呈した板部材であり、ファン２１のモータ２１ｃを直接的に支持するためのモータ取付板２２ｂ１と、可動部２２ｂを支持部２３に対して連結するための角度調整板２２ｂ２とを含む。角度調整板２２ｂ２は、モータ取付板２２ｂ１から直立するように、互いに対向して一対設けられている。モータ取付板２２ｂ１には、ファン２１のモータ２１ｃを保持するためのモータ取付孔Ｄが形成されている。また、１対の角度調整板２２ｂ２には、それぞれに、回動軸部２２ａを貫通させるための第１軸孔Ｂと、後述の姿勢保持手段２２ｃを貫通させるための第２軸孔Ｃとが形成されている。一方の角度調整板２２ｂ２の第１軸孔Ｂは、他方の角度調整板２２ｂ２の第１軸孔Ｂと対向する位置に形成されている。また、一方の角度調整板２２ｂ２の第２軸孔Ｃは、他方の角度調整孔２２ｂ２の第２軸孔Ｃと対向する位置に形成されている。
【００３７】
可動部２２ｂは、その１対の角度調整板２２ｂ２で、支持部２３の１対の側板２３ｂ２を挟み込むように設置される（図３参照）。具体的には、回動軸部２２ａのボルト２２ａ１が、支柱２３ａの高さ方向の所定の位置に貫通し、さらに、可動部２２ｂの第１軸孔Ｂを貫通して、ナット２２ａ２を締め付けることによって、可動部２２ｂが支持部２３に支持される。ファン２１の向きを調整する場合には、ナット２２ａ２を緩め、回動軸部２２ａのボルト２２ａ１を回動の中心として、可動部２２ｂおよび可動部２２ｂに固定されたファン２１を可動にする。
【００３８】
姿勢保持手段２２ｃは、固定部２３ｂに対する可動部２２ｂの姿勢を保持するためのボルト（軸）２２ｃ１と、ボルト２２ｃ１を所定の位置で固定するためのナット２２ｃ２とを含む。このボルト２２ｃ１は、可動部２２ｂの角度調整板２２ｂ２に形成された第２軸孔Ｃに貫通し、さらに、固定部２３ｂの側板２３ｂ２に形成された略円弧状に連なる複数の角度調整孔Ａのうちの一つに貫通する。ナット２２ｃ２を締め付けることによって、ボルト２１ｃ１が所定の位置で固定される。可動部２２ｂの姿勢および可動部２２ｂに取り付けられたファン２１のシャフト２１ｂの向きは、姿勢保持手段２２のボルト２２ｃ１が、固定部２３ｂの側板２３ｂ２に形成された複数の角度調整孔Ａのうち、どの角度調整孔Ａに挿入されるかによって決定される。
【００３９】
シャフト２１ｂの傾斜角度としては、シャフト２１ｂが水平な状態を０°とすると、１〜１０°であることが好ましい。シャフト２１ｂの傾斜角度が１０°を超えると、ファン２１の羽根２１ａがベルマウス６に干渉する傾向がある。
【００４０】
上記の空気調和装置の室外機１００の、風向調整部材８の取り付け作業およびファン２１のシャフト２１ｂの向きを調整する作業について以下で説明する。
【００４１】
作業者が、ケーシング３に対して、風向調整部材８をケーシング３に形成された吹き出し口３ｂを覆うように取り付ける場合には、室外機１００内のファン２１のシャフト２１ｂの向きを調整する必要がある。
【００４２】
具体的には、まず、作業者は、ファン２１の向きの調整作業を行うために、一旦、ケーシング３の一部を開放する。
【００４３】
つぎに、作業者は、角度調整機構２２の姿勢保持手段２２ｃを構成するナット２２ｃ２を緩め、姿勢保持手段２２ｃのボルト２２ｃ１を固定部２３ｂおよび可動部２２ｂから取り外す。図６（ａ）（ｂ）は、図４の固定部２３ｂを用いた場合の、角度調整機構２２の拡大図であり、図６（ａ）はファン２１のシャフト２１ｂの軸方向を水平に固定した状態を示し、図６（ｂ）はファン２１のシャフト２１ｂの軸方向が上方に傾くようにファン２１を固定した状態を示す。姿勢保持手段２２ｃのボルト２２ｃ１およびナット２２ｃ２が取り外されると、可動部２２ｂは、角度調整機構２２の回動軸部２２ａを中心として回動可能な状態になる。すなわち、図６（ａ）（ｂ）に示されるように、可動部２２ｂを、回動軸部２２ａのボルト２２ａ１を中心に回動させると、可動部２２ｂに固定されたファン２１のシャフト２１ｂの向きも、水平な線Ｌ０から、線Ｌ０に対して角度αだけ傾斜した線Ｌ１まで変わる。本実施の形態では、可動部２２ｂを、回動軸部２２ａを中心として回動させ、姿勢保持手段２２ｃによって支持部２３に対して傾いた姿勢で保持させている。したがって、姿勢保持手段２２ｃのボルト２２ｃ１およびナット２２ｃ２のみを取り外せば、支持部２３に支持されたファン２１全体を支持部２３から完全に取り外さなくても、可動部２２ｂに固定されたファン２１を簡単に傾けることができる。
【００４４】
そして、作業者は、風向調整部材８の整流方向に、ファン２１のシャフト２１ｂの向きを近づける。図７は、ファン２１の向きを上方へ向けて傾けた状態を説明するための断面図である。たとえば、図７に示されるように、風向調整部材８による整流方向が斜め上方である場合には、回動軸部２２ａを中心軸として、可動部２２ｂを回転させ（図７においては、時計回りに回転させ）、可動部２２ｂに固定されたファン２１の向きを角度αだけ上方に傾ける。このとき、作業者は、固定部２３ｂの側板２３ｂ２に表示された目盛を目印にしてファン２１を傾ける。
【００４５】
つぎに、作業者は、ファン２１の向きが角度αだけ上方に傾いた状態のまま、姿勢保持手段２２ｃのボルト２２ｃ１およびナット２２ｃ２を再び装着する。すなわち、作業者は、姿勢保持手段２２ｃのボルト２２ｃ１を可動部２２ｂに形成された第２軸孔Ｃに貫通させ、さらに、固定部２３ｂに形成された角度調整孔Ａのうちの１つであって、姿勢保持手段２２ｃを取り外す前に姿勢保持手段２２ｃが挿入されていた角度調整孔Ａより上方に位置する角度調整孔Ａに貫通させる。そして、ナット２２ｃ２によって、可動部２２ｂの角度調整板２２ｂ２と、固定部２３ｂの側板２３ｂ２とを締め付ける。このようにして、姿勢保持手段２２ｃによって、ファン２１のシャフト２１ｂの向きが角度αだけ上方に傾いた状態が維持される。
【００４６】
つぎに、作業者は、ケーシング３の開放された部分を閉じる。
【００４７】
最後に、作業者は、吹き出し口を３ｂ覆うようにケーシング３に対して、その整流方向が上方になるように風向調整部材８を取り付ける。
【００４８】
以上の実施の形態によれば、ファン２１のシャフト２１ｂの向きを調整することが可能な角度調整機構２２を介して、ファン２１が支持部２３に取り付けられている。このため、風向調整部材８によって調整される風向と、シャフト２１ｂの向きとを近づけておくことができる。したがって、角度調整機構２２を用いて、シャフト２１ｂの向きを調整することにより、送風機２によって作り出される空気の流れの方向を調整することができる。これにより、ケーシング３に対して、その吹き出し口を覆うように風向調整部材８を取り付けても、ケーシング３の内部から排出される空気をスムーズに流すことが可能となり、ファン２１にかかる負荷を低減させることができる。したがって、空気の吹き出し口に設けられる風向調整部材８の設置に起因する送風機２のモータ２１ｃの回転数の増加を抑制することが可能となる。
【００４９】
また、可動部２２ｂを、回動軸部２２ａのボルト２２ａ１を中心として回動させ、姿勢保持手段２２ｃによって支持部２３に対して傾いた姿勢で保持させるので、姿勢保持手段２２ｃのボルト２２ｃ１およびナット２２ｃ２のみを取り外せば、支持部２３に支持されたファン２１全体を支持部２３から完全に取り外さなくても、ファン２１を簡単に傾けることができる。
【００５０】
また、回動軸部２２ａは、その軸方向が水平になるように設けられているので、シャフトの向きを上下方向に調整することができる。
【００５１】
また、姿勢保持手段２２ｃのボルト２２ｃ１を支持部２３の固定部２３ｂに形成された角度調整孔Ａに貫通させるだけで、簡単に可動部２２ｂの姿勢を保持することができる。
【００５２】
また、支持部２３に形成された角度調整孔Ａが、複数の孔であり、姿勢保持手段２２ｃのボルト２２ｃ１を個々の孔に貫通させてファン２１の姿勢を保持するので、ファン２１のシャフト２１ｂの軸方向が所定の角度だけ傾いた状態を確実に保持することができる。
【００５３】
また、支持部２３に、目盛りＡ１が表示されているので、シャフト２１ｂの向きを調整する作業が容易になる。
【００５４】
なお、上記実施の形態では、固定部２３ｂの側板２３ｂ２の略円弧状に連なる角度調整孔Ａが、複数形成されている形態について説明したが、本発明はこれに限定されるものではなく、図８および図９（ａ）（ｂ）に示されるように、角度調整孔Ａを単一の長孔としてもよい。この場合、長孔の長手方向の所望の位置に姿勢保持手段のボルトを留めることができ、ファンのシャフトの向きを微調整することができる。
【００５５】
また、上記実施の形態では、固定部２３ｂの一対の側板２３ｂ２を、角度調整機構２２の一対の角度調整板２２ｂ２で挟み込むように設置した形態について説明したが、本発明はこれに限定されるものではなく、角度調整機構の一対の角度調整板を、固定部の一対の側板で挟み込むように設置した形態であってもよい。
【００５６】
また、上記実施の形態では、ファン２１のシャフト２１ｂの向きを上方に傾けた形態について説明したが、本発明はこれに限定されるものではなく、図１０に示されるように、ファンのシャフトの向きを線Ｌ０から線Ｌ２まで角度βだけ下方へ傾けてもよい。この場合、風向調整部材による排気の整流方向が下方になるように、風向調整部材がケーシングに取り付けられる。
【００５７】
また、上記実施の形態では、回動軸部２２ａを水平に設けて、ファン２１のシャフト２１ｂの向きを上下方向に調整する形態について説明したが、本発明はこれに限定されるものではなく、回動軸部を垂直に設けて、ファンのシャフトの向きを左右方向に調整する形態であってもよい。この場合、風向調整部材により調整される空気の流れの向きも左右方向に調整されるように、風向調整部材が取り付けられる。
【００５８】
また、上記実施の形態では、角度調整機構２２の回動軸部２２ａを支持部２３の支柱２３ａに固定した形態について説明したが、本発明はこれに限定されるものではなく、角度調整機構の回動軸部を支持部の固定部に固定する形態であってもよい。
【００５９】
また、上記実施の形態では、固定部２３ｂの側板２３ｂ２にバーリング加工を施して、突出部を形成し、その突出部で姿勢保持手段２２ｃのボルト２２ｃ１を締め付ける形態について説明したが、本発明はこれに限定されるものではなく、固定部の側板にバーリング加工を施さず、ナットを用いて姿勢保持手段のボルトを締め付ける形態であってもよい。
【図面の簡単な説明】
【００６０】
【図１】空気調和装置の室外機を説明するための正面図である。
【図２】空気調和装置の室外機内に収容された送風機を説明するための図であり、図１のＩＩ−ＩＩ断面図である。
【図３】空気調和装置の室外機内に収容された送風機を説明するための図であり、図１のＩ―Ｉ断面図である。
【図４】支持部の固定部を説明するための図であり、複数の角度調整孔が形成された固定部である。
【図５】角度調整機構の可動部を説明するための図である。
【図６】図４の固定部を用いた場合の、角度調整機構の拡大図であり、（ａ）はファンのシャフトの軸方向を水平に固定した状態を示し、（ｂ）はファンのシャフトの軸方向が上方に傾くようにファンを固定した状態を示す。
【図７】ファンの向きを上方へ向けて傾けた状態を説明するための断面図である。
【図８】固定部の他の形態を説明するための斜視図であり、角度調整孔として単一の長孔が形成された固定部である。
【図９】図８の固定部を用いた場合の、角度調整機構の拡大図であり、（ａ）はファンのシャフトの軸方向を水平に固定した状態を示し、（ｂ）はファンのシャフトの軸方向が上方に傾くようにファンを固定した状態を示す。
【図１０】ファンの向きを下方へ向けて傾けた状態を説明するための断面図である。
【符号の説明】
【００６１】
２  送風機
２１  ファン
２１ａ  羽根
２１ｂ  シャフト
２１ｃ  モータ
２２  角度調整機構
２２ａ  回動軸部
２２ｂ  可動部
２２ｃ  姿勢保持手段
２３  支持部
３  ケーシング
４  熱交換器
８  風向調整部材
１００  空気調和装置の室外機
Ａ  角度調整孔（略円弧状に連なる孔）
Ａ１  目盛り
【図１】
2009162439.tif 000003
【図２】
2009162439.tif 000004
【図３】
2009162439.tif 000005
【図４】
2009162439.tif 000006
【図５】
2009162439.tif 000007
【図６】
2009162439.tif 000008
【図７】
2009162439.tif 000009
【図８】
2009162439.tif 000010
【図９】
2009162439.tif 000011
【図１０】
2009162439.tif 000012
【手続補正書】
【提出日】平成21年3月12日(2009.3.12)
【手続補正１】
【補正対象書類名】特許請求の範囲
【補正対象項目名】全文
【補正方法】変更
【補正の内容】
【特許請求の範囲】
【請求項１】
ケーシングの内部から排出される空気の風向を調整するための風向調整部材が、前記ケーシングに形成された空気の吹き出し口に取り付け可能な空気調和装置の室外機に用いられる送風機であって、
モータによって駆動されるシャフトおよび該シャフトに取り付けられた羽根を含むファンと、
該ファンを前記ケーシングの内部の所定の位置に支持するための支持部と、
該支持部に前記ファンを取り付けるとともに、前記シャフトの向きを調整するための角度調整機構とを有する送風機。
【請求項２】
前記シャフトは、該シャフトの向きが前記風向調整部材によって調整される風向に近づいた状態で設置されている請求項１記載の送風機。
【請求項３】
前記角度調整機構は、
前記支持部に支持され、前記シャフトの向きに直交するように設けられる回動軸部と、
前記ファンが固定され、前記回動軸部を中心軸として回動可能に設けられる可動部と、
該可動部を前記回動軸部回りの所定の向きで保持する姿勢保持手段とを含む請求項１または２記載の送風機。
【請求項４】
前記回動軸部は、その軸方向が水平になるように設けられている請求項１〜３のいずれかに記載の送風機。
【請求項５】
前記姿勢保持手段が、前記支持部に形成された略円弧状に連なる孔を貫通する軸を含む請求項１〜４のいずれかに記載の送風機。
【請求項６】
前記支持部に形成された略円弧状に連なる孔が、単一の長孔である請求項５記載の送風機。
【請求項７】
前記支持部に形成された略円弧状に連なる孔が、複数の孔である請求項５記載の送風機。
【請求項８】
前記支持部に、前記シャフトの傾斜角度を指示するための目盛りが表示されている請求項１〜７のいずれかに記載の送風機。
【請求項９】
請求項１〜８のいずれかに記載の送風機を用いた空気調和装置の室外機。
【手続補正２】
【補正対象書類名】明細書
【補正対象項目名】０００７
【補正方法】変更
【補正の内容】
【０００７】
この発明では、ファンのシャフトの向きを調整することが可能な角度調整機構を介して、ファンが支持部に取り付けられている。風向調整部材が取り付けられる場合には、角度調整機構を用いて、シャフトの向きを調整することにより、送風機によって作り出される空気の流れの方向が調整可能となり、ファンにかかる負荷を低減させることができる。したがって、空気の吹き出し口に設けられる風向調整部材の設置に起因する送風機のモータの回転数の増加を抑制することが可能となる。
また、前記シャフトは、該シャフトの向きが前記風向調整部材によって調整される風向に近づいた状態で設置されていることが好ましい。
この発明では、予め、風向調整部材によって調整される風向と、シャフトの向きとを近づけておくことにより、ケーシングの内部から排出される空気をスムーズに流すことができる。